(57)【要約】【課題】樹脂チャックが設けられた開口部を通じて液状物を容易に注ぎ入れることができて作業者の負担が軽減される、新規な構造の医療用バッグを提供する。【解決手段】医療用バッグ１０において、チャック状封止部２６が設けられた各一方の重ね合わせ部からそれぞれ外方に延び出して互いに重ね合わされる一対のフラップ状部２８が形成されており、チャック状封止部２６の一方の端部側では一対のフラップ状部２８が互いに一体化された閉止部３０とされていると共に、チャック状封止部２６の他方の端部側では一対のフラップ状部２８が互いに分離された開放部３２とされていることにより、チャック状封止部２６から外方に延び出して重ね合わせ方向の両側外方に向かって拡開可能な案内口部５２が設けられている一方、案内口部５２における一対のフラップ状部２８に対して手指５０による拡開操作力を及ぼす拡開操作部３８が設けられている。【選択図】図５
2014054406.tif 000002
【特許請求の範囲】
【請求項１】
袋本体の開口部に、開閉可能に重ね合わされたチャック状封止部が設けられた医療用バッグにおいて、
前記チャック状封止部が設けられた各一方の重ね合わせ部からそれぞれ外方に延び出して互いに重ね合わされる一対のフラップ状部が形成されており、
該チャック状封止部の一方の端部側では該一対のフラップ状部が互いに一体化された閉止部とされていると共に、
該チャック状封止部の他方の端部側では該一対のフラップ状部が互いに分離された開放部とされていることにより、
該チャック状封止部から外方に延び出して該チャック状封止部の開状態下において重ね合わせ方向の両側外方に向かって拡開可能な案内口部が設けられている一方、
該案内口部における該一対のフラップ状部に対して手指による拡開操作力を及ぼす拡開操作部が設けられていることを特徴とする医療用バッグ。
【請求項２】
前記一対のフラップ状部における前記閉止部側の端縁部分には、前記チャック状封止部が設けられた前記袋本体の前記開口部に向かって次第に拡開量が小さくなるように傾斜した傾斜案内部が形成されている請求項１に記載の医療用バッグ。
【請求項３】
前記一対のフラップ状部における前記閉止部側には、吊下フック等を挿通させることのできる貫通孔が形成されている請求項１又は２に記載の医療用バッグ。
【請求項４】
２枚の樹脂シートが互いに重ね合わされて周囲を相互に固着されることにより前記袋本体が形成されていると共に、
該２枚の樹脂シートが前記チャック状封止部で開閉可能に重ね合わされることにより前記開口部が形成されており、更に、
該２枚の樹脂シートにおいて該開口部から外方に延び出した部分により前記一対のフラップ状部が構成されて前記案内口部が形成されている請求項１〜３の何れか１項に記載の医療用バッグ。
【請求項５】
前記一対のフラップ状部には、それぞれ、前記開放部側から前記閉止部側に向かって手指を差し入れることのできる手指用袋状部が形成されており、
該一対のフラップ状部における該一対の手指用袋状部によって前記拡開操作部が構成されている請求項１〜４の何れか１項に記載の医療用バッグ。
【請求項６】
前記袋本体には、前記開口部を上方に向けた状態で下方に位置する底部に対して内外に貫通する排出用ポートが設けられており、該袋本体の内部に収容する液状物を該排出用ポートに接続されるチューブを通じて患者体内に投与する請求項１〜５の何れか１項に記載の医療用バッグ。
【発明の詳細な説明】
【技術分野】
【０００１】
本発明は、医療分野で用いられて栄養液や薬液、輸液等の液状物を収容する医療用バッグに関する。
【背景技術】
【０００２】
医療分野では、薬液や輸液などの液状物が用いられるが、そのような液状物の取り扱いに医療用バッグが利用されている。例えば、患者の鼻腔から挿し入れられたチューブを通じて栄養液や薬液を胃等へ投与する経腸栄養法では、所定量の栄養液や薬液を収容しておく栄養剤補給用バッグが利用されている。また、患者の静脈に挿し入れられた輸液回路を通じて栄養液や薬液を静脈へ投与する静脈栄養法では、所定量の栄養液や薬液を収容しておく輸液バッグが利用されている。
【０００３】
このような医療用バッグは、一般に軟質合成樹脂製のシートを袋状に加工して形成されている。そして、袋本体の開口部には樹脂チャックが設けられており、開口部を封止状態に保つことができるようになっている。
【０００４】
ところで、かかる医療用バッグを使用する際には、樹脂チャックを開けて、栄養液や薬液などの液状物を開口部から注ぎ入れる作業が行われる。この注入作業は、一般に一人で行われ、一方の手で医療用バッグの開口部を開いた状態に保ちつつ、他方の手で持ったカップを傾けて、カップ内に収容された液状物を医療用バッグへ開口部から注ぎ入れることによって行われる。
【０００５】
ところが、医療用バッグの袋本体が軟質の樹脂シートで形成されていることから開口部を一定に開いた状態に保ち難いという問題があった。
【０００６】
しかも、医療用バッグは、吊下時の安定性を確保したり周壁に付された目盛りの精度を確保する等の目的から、一般に深底形状とされており、袋本体の上端部分に設けられた開口部が比較的小さくなっている。それ故、たとえ開いた状態に保持し得ても、小さな開口部から液状物を注ぎ入れる作業が難しく、少しずつ丁寧に注ぎ入れなければならないことから、作業者の精神的および労力的な負担が大きかった。
【０００７】
なお、このような問題に鑑み、特開２０１１−７８７３７号公報（特許文献１）には、樹脂チャックが設けられた開口部における重ね合わせ部分にそれぞれ貫通路を形成して、かかる貫通路に手指を挿入させることにより、開口部を開いた状態に保ち易くした医療用バッグが提案されている。
【０００８】
しかし、かかる特許文献１に記載の構造でも、開口部自体が小さい場合には、たとえ開いた状態に保持できても、小さい開口部から液状物を注ぎ入れる作業者の負担を十分に軽減し得るものではなかったのである。
【先行技術文献】
【特許文献】
【０００９】
【特許文献１】特開２０１１−７８７３７号公報
【発明の概要】
【発明が解決しようとする課題】
【００１０】
本発明は、上述の事情を背景に為されたものであって、その解決課題は、樹脂チャックが設けられた開口部を通じて液状物を容易に注ぎ入れることができて作業者の負担が軽減される、新規な構造の医療用バッグを提供することにある。
【課題を解決するための手段】
【００１１】
以下、このような課題を解決するために為された本発明の態様を記載する。なお、以下に記載の各態様において採用される構成要素は、可能な限り任意の組み合わせで採用可能である。
【００１２】
本発明の第１の態様は、袋本体の開口部に、開閉可能に重ね合わされたチャック状封止部が設けられた医療用バッグにおいて、前記チャック状封止部が設けられた各一方の重ね合わせ部からそれぞれ外方に延び出して互いに重ね合わされる一対のフラップ状部が形成されており、該チャック状封止部の一方の端部側では該一対のフラップ状部が互いに一体化された閉止部とされていると共に、該チャック状封止部の他方の端部側では該一対のフラップ状部が互いに分離された開放部とされていることにより、該チャック状封止部から外方に延び出して該チャック状封止部の開状態下において重ね合わせ方向の両側外方に向かって拡開可能な案内口部が設けられている一方、該案内口部における該一対のフラップ状部に対して手指による拡開操作力を及ぼす拡開操作部が設けられていることを、特徴とする。
【００１３】
本態様においては、袋本体の開口部において、チャック状封止部よりも外方に延び出して設けられた一対のフラップ状部により、幅方向一方の側が閉止部とされると共に他方の側が開放部とされた案内口部が設けられている。この案内口部によれば、開放部において大きく広げられることで十分な幅をもって拡開されると共に、閉止部において樋状の案内路が形成される。
【００１４】
それ故、拡開操作部において加えられる拡開操作力を一対のフラップ状部に及ぼして案内口部を大きく開くことにより、かかる案内口部を通じて開口部から袋本体へ液状物を容易に注ぎ入れることが可能になる。その際、例えば案内口部における閉止部が開放部よりもやや下方に位置するように袋本体の開口部を傾けることにより、案内口部の閉止部によって形成される樋状の案内路を一層効果的に利用することが可能になる。
【００１５】
本発明の第２の態様は、前記第１の態様に係る医療用バッグにおいて、前記一対のフラップ状部における前記閉止部側の端縁部分には、前記チャック状封止部が設けられた前記袋本体の前記開口部に向かって次第に拡開量が小さくなるように傾斜した傾斜案内部が形成されているものである。
【００１６】
本態様によれば、案内口部の閉止部によって形成される樋状の案内路が、案内口部の開口側からチャック状封止部に向かって次第に狭まる漏斗状に形成される。それ故、袋本体の開口部を大きく傾けなくても、かかる樋状の案内路による案内作用がより効果的に発揮されて、液状物を一層容易に注ぎ入れることが可能になる。
【００１７】
本発明の第３の態様は、前記第１又は第２の態様に係る医療用バッグにおいて、前記一対のフラップ状部における前記閉止部側には、吊下フック等を挿通させることのできる貫通孔が形成されているものである。
【００１８】
本態様によれば、閉止部側において一対のフラップ状部が重ね合わされて強度が大きくされた部分を利用して、医療用バッグを吊下支持等するための貫通孔を十分な強度をもって形成することが可能になる。特に、前記第二の態様に係る医療用バッグでは、袋本体の前記開口部に向かって次第に拡開量が小さくなるように傾斜して設けられた傾斜案内部の外方に位置して、余剰となった一対のフラップ状部の重ね合わせ部分を巧く利用して貫通孔を形成することも可能である。
【００１９】
本発明の第４の態様は、前記第１〜３の何れかの態様に係る医療用バッグにおいて、２枚の樹脂シートが互いに重ね合わされて周囲を相互に固着されることにより前記袋本体が形成されていると共に、該２枚の樹脂シートが前記チャック状封止部で開閉可能に重ね合わされることにより前記開口部が形成されており、更に、該２枚の樹脂シートにおいて該開口部から外方に延び出した部分により前記一対のフラップ状部が構成されて前記案内口部が形成されているものである。
【００２０】
本態様によれば、２枚の樹脂シートを用いて、その周囲を溶着等で固着することにより、目的とする本発明に係る医療用バッグを一層容易に優れた量産性をもって製造することが可能になる。
【００２１】
本発明の第５の態様は、前記第１〜４の何れかの態様に係る医療用バッグにおいて、前記一対のフラップ状部には、それぞれ、前記開放部側から前記閉止部側に向かって手指を差し入れることのできる手指用袋状部が形成されており、該一対のフラップ状部における該一対の手指用袋状部によって前記拡開操作部が構成されているものである。
【００２２】
本態様によれば、手指によるフラップ状部への拡開操作を一層効率的に行うことができる拡開操作部が実現可能となる。特に、開放部側から閉止部側に向かって手指を差し入れることで、一対のフラップ状部を一層大きく拡開させつつ、閉止部側に設けられる樋状の案内路への液状物の注ぎ入れを、手で遮るようなこともなく容易に行うことができる。
【００２３】
本発明の第６の態様は、前記第１〜５の何れかの態様に係る医療用バッグにおいて、前記袋本体には、前記開口部を上方に向けた状態で下方に位置する底部に対して内外に貫通する排出用ポートが設けられており、該袋本体の内部に収容する液状物を該排出用ポートに接続されるチューブを通じて患者体内に投与するようにしたものである。
【００２４】
本態様によれば、経腸栄養法に用いられる栄養剤補給用バッグや、静脈栄養法に用いられる輸液バッグであって、液状物の注ぎ入れを容易に行うことが出来て作業に際しての液状物の零れ落ちが防止されると共に、作業者の労力軽減も図られ得る、新規な医療用バッグが実現され得る。
【発明の効果】
【００２５】
本発明によれば、開口部において、チャック状封止部の外方に設けられた案内口部が開放部により大きく拡開されると共に、閉止部により樋状の案内路が形成される。それ故、拡開操作部で案内口部を大きく開いた状態に保持せしめつつ、かかる案内口部を通じて、液状物を開口部から袋本体内に容易に注ぎ入れることが可能になる。
【図面の簡単な説明】
【００２６】
【図１】本発明の第１の実施形態としての医療用バッグの正面図。
【図２】図１に示された医療用バッグの背面図。
【図３】図１に示された医療用バッグの右側面図。
【図４】図１に示された医療用バッグの左側面図。
【図５】図１に示された医療用バッグにおいて手指により案内口部を開いた状態を示す斜視図。
【図６】本発明の第２の実施形態としての医療用バッグの正面図。
【発明を実施するための形態】
【００２７】
以下、本発明を更に具体的に明らかにするために、本発明の実施形態について、図面を参照しつつ、詳細に説明する。
【００２８】
先ず、図１〜４には、本発明の第１の実施形態としての医療用バッグ１０が示されている。この医療用バッグ１０は、図１中の上下方向に長い袋構造とされており、上部には開閉可能な開口部１２が設けられている一方、下部には外部チューブ１４を接続可能な排出用ポートとしてのポート部１６が設けられている。そして、内部に栄養液や輸液等の液状物が収容されて栄養剤補給用バッグや輸液バッグ等として用いられるようになっている。なお、図３および図４における医療用バッグ１０の袋本体２２（後述）は、理解を容易とするために高さ方向（図３および図４中の上下方向）に比べて厚さ方向（図３および図４中の左右方向）の縮尺を拡大して図示している。
【００２９】
より詳細には、本実施形態の医療用バッグ１０は、２枚の樹脂シート１８ａ，１８ｂが互いに重ね合わされて、周囲の溶着部２０において相互に固着されることにより、袋状の袋本体２２が形成されている。溶着部２０は重ね合わされる２枚の樹脂シート１８ａ，１８ｂの周囲の三方向に設けられており、固着されない一方（図１中の上方）に開口部１２が設けられている。なお、この溶着部２０における２枚の樹脂シート１８ａ，１８ｂの固着手段は、例えば接着剤による接着等が挙げられるが、特に限定されるものではなく、好ましくは熱による溶着（ヒートシール）が採用される。そして、２枚の樹脂シート１８ａ，１８ｂを、上方を開口して袋状に構成することにより、袋本体２２の内部には栄養液や輸液等の液状物が収容される収容領域２４が形成されている。
【００３０】
さらに、収容領域２４の上方である袋本体２２の開口部１２には、袋本体２２、換言すれば収容領域２４を開閉可能とするチャック状封止部２６が、２枚の樹脂シート１８ａ，１８ｂに設けられている。要するに、２枚の樹脂シート１８ａ，１８ｂがチャック状封止部２６で開閉可能に重ね合わされることにより、開口部１２が形成されている。
【００３１】
チャック状封止部２６は、開口部１２を繰り返し開閉可能にするものであって、閉状態では２枚の樹脂シート１８ａ，１８ｂの重ね合わせ面間を実用上で流体密に保ち得るようになっている。チャック状封止部２６の具体的構造は限定されないが、例えば一方の樹脂シート１８ａの内面に設けられて開口部１２の幅方向に延びる凹溝と、他方の樹脂シート１８ｂの内面に設けられて開口部１２の幅方向に延びる凸条とが、操作外力で互いに押し付けられることによって弾性的に凹凸嵌合される樹脂製チャックからなる公知の構造体などが採用可能である。
【００３２】
なお、図１および図２中において、チャック状封止部２６を構成する凹凸嵌合部は、袋本体２２の内部で、２枚の樹脂シート１８ａ，１８ｂの各内面に形成されているが、２枚の樹脂シート１８ａ，１８ｂが透明材料で形成されていることと、構造を理解し易くする趣旨から、チャック状封止部２６を実線で図示している。また、チャック状封止部２６の形成部位を袋本体２２の開口部１２とすると、チャック状封止部２６は、開口部１２を密閉することができるように、開口部１２において袋本体２２の幅方向（図１中の左右方向）の全長に亘って形成されている。
【００３３】
さらに、袋本体２２の上端部には、一対のフラップ状部２８，２８が形成されている。即ち、袋本体２２を構成する２枚の樹脂シート１８ａ，１８ｂには、それぞれ開口部１２の外方（図１中の上方）に所定の領域だけ延び出した一対のフラップ状部２８，２８が形成されており、相互に重ね合わされている。具体的には、一対のフラップ状部２８，２８は、２枚の樹脂シート１８ａ，１８ｂの重ね合わせ部であるチャック状封止部２６の上方に設けられており、本実施形態では略矩形状とされている。
【００３４】
なお、本実施形態では一対のフラップ状部２８，２８は同形とされているが、一対のフラップ状部は形状が同一でなくても良い。例えば、一対のフラップ状部において相互に重ならないで外方に突出する摘み片を突設して、かかる摘み片を手指で摘むことにより一対のフラップ状部を開く操作をし易くすること等も可能である。
【００３５】
ここにおいて、袋本体２２を構成する２枚の樹脂シート１８ａ，１８ｂの材料としては、収容物への耐性等を考慮して、従来公知である軟質の樹脂シートの材料が適宜に採用され得る。即ち、２枚の樹脂シート１８ａ，１８ｂは、ポリプロピレン、ポリエチレン、ポリエステル、ポリ塩化ビニル等の樹脂材から形成されて、好ましくは透明な可撓性樹脂シートとされる。なお、それぞれの樹脂シート１８ａ，１８ｂは同一の樹脂材により形成されることが好ましいが、それぞれの樹脂シート１８ａ，１８ｂで異なる樹脂材を採用しても良い。また、袋本体２２において、各樹脂シート１８ａ，１８ｂが全体に亘って同一の材料で形成されていても良いし、例えば、フラップ状部２８と収容領域２４を形成する部分を異なる材料で形成する等、部分によって樹脂シートの材料を異ならせても良い。
【００３６】
このような一対のフラップ状部２８，２８が重ね合わされる幅方向の一方（図１中においては左方）の端部は、溶着部２０が一対のフラップ状部２８，２８の上端まで延び出している。これにより、一対のフラップ状部２８，２８の一方の端部が互いに一体化された閉止部３０とされている。
【００３７】
これに対して、一対のフラップ状部２８，２８が重ね合わされる幅方向の他方（図１中の右方）の端部では、溶着部２０が一対のフラップ状部２８，２８の上端までは延び出していない。本実施形態では、右方の溶着部２０はフラップ状部２８の下端までしか延び出しておらず、これにより、一対のフラップ状部２８，２８の他方の端部は互いに分離された開放部３２とされている。要するに、開放部３２では、一対のフラップ状部２８，２８が、上端部分（チャック状封止部２６からの延び出し方向における先端部分）から下方（チャック状封止部２６方向）に向かって少なくとも半分以上の領域が相互に固着されておらず、互いに引き離し可能に開放されている。
【００３８】
特に、本実施形態では、一対のフラップ状部２８，２８における閉止部３０側の溶着部２０は、袋本体２２上端から内方（図１中の下方）に行くに従って、閉止部３０側から開放部３２側（図１中の左方から右方）に傾斜している。このように、一対のフラップ状部２８，２８の閉止部３０側が傾斜して溶着されていることにより、後述する各フラップ状部２８，２８の拡開時において、袋本体２２の開口部１２に向かって外方から次第に幅方向（図１中の左右方向）での拡開量が小さくなるように傾斜している傾斜案内部３３が形成されている。
【００３９】
さらに、本実施形態では、それぞれのフラップ状部２８，２８の高さ方向（図１中の上下方向）および幅方向（図１中の左右方向）の中間部分では、樹脂シート１８ａ，１８ｂと同様の樹脂シートがもう１枚ずつ重ね合わされて、周囲の溶着部３４が固着されている。これにより、一対のフラップ状部２８，２８のそれぞれには、内部に空間を有する中空領域３６が形成されている。
【００４０】
また、これらの中空領域３６のそれぞれには、後述する各フラップ状部２８，２８の拡開時において、手指５０（後述）の拡開操作力により各フラップ状部２８，２８を拡開させるための拡開操作部３８が設けられている。特に、本実施形態の拡開操作部３８は、手指５０の先端を挿入するための手指用袋状部４０により構成されている。
【００４１】
なお、中空領域３６を形成するための溶着部３４の固着手段としては、前述の溶着部２０と同様であり、例えば接着剤による接着等が挙げられて、特に限定されるものではないが、熱溶着（ヒートシール）が好適に採用される。また、中空領域３６を形成するために重ね合わせられる樹脂シートはの材料は、袋本体２２を構成する樹脂シート１８ａ，１８ｂと同一としても良いし、異ならせても良い。
【００４２】
手指用袋状部４０の具体的な形成方法としては、中空領域３６において重ね合わされた２枚の樹脂シートのうちの外側の樹脂シートに、図１および図２に実線で示されているような切込みを入れて、切片４２を形成する。この切片４２を、図１および図２に一点鎖線で示されている曲折部４４を軸として、中空領域３６の内部空間へ折り込んで、外側の樹脂シートに重ね合わせる。これにより、後述する各フラップ状部２８，２８の拡開時において、手指５０を挿入するための手指用袋状部４０が形成され得る。
【００４３】
特に、本実施形態では、手指５０が開放部３２側から閉止部３０側に向かって挿入されるように手指用袋状部４０が形成されている。なお、例えば、切片４２の大きさを大きくすることにより手指用袋状部４０の大きさを大きくすることが出来る。このように、切片４２および手指用袋状部４０の大きさは任意に設定可能である。また、曲折部４４の傾斜角度を調節することにより手指用袋状部４０の角度、即ち、挿入する手指５０の角度を調節することが可能である。
【００４４】
さらに、２枚の樹脂シート１８ａ，１８ｂの開口部１２の外方（図１中の上方）には、貫通孔４６が形成されている。本実施形態では、貫通孔４６は、一対のフラップ状部２８，２８における閉止部３０側（図１中の左方）で、互いに重ね合わせ状態に固着された一対のフラップ状部２８，２８を貫通して形成されている。なお、貫通孔は、必ずしも一対のフラップ状部２８，２８の重ね合わせ部分に形成する必要はなく、例えば一方のフラップ状部２８だけに外周縁部から延び出す延出片を形成し、かかる延出片に貫通孔を形成しても良い。
【００４５】
そして、この貫通孔４６に吊下フック等を挿通させることにより、図示しない点滴スタンド等に対して、医療用バッグ１０を吊り下げ支持させることができるようになっている。
【００４６】
更にまた、袋本体２２の底部には、収容領域２４を内外に貫通するポート部１６が設けられている。本実施形態では、ポート部１６は、袋本体２２下端縁部において、貫通孔４６と対角線方向で対向する角部に設けられている。
【００４７】
そして、ポート部１６には、袋本体２２の内部に連通接続される内側開口部と反対の外側開口部に対して、図１〜４に二点鎖線で示されているように外部チューブ１４が接続されている。この外部チューブ１４は、従来公知のものが使用可能であって詳しい説明を省略するが、可撓性のチューブであり、必要に応じてチャンバー（点滴筒）やクレンメ（流量調整器）、コネクター等（何れも図示せず）が設けられて、鼻腔等から挿入されて胃や十二指腸等の患者体内（図示せず）に至っている。そして、収容領域２４に収容される液状物がこの外部チューブ１４を通じて患者の体内に投与される。
【００４８】
ここにおいて、ポート部１６は合成樹脂等の硬質材製とされており、好適には、袋本体２２を構成する２枚の樹脂シート１８ａ，１８ｂより剛性が大きくされる。このようなポート部１６の材料としては、ポリプロピレン、ポリエチレン、アクリロニトリル−ブタジエン−スチレン共重合合成樹脂（ＡＢＳ樹脂）、ナイロン樹脂、ポリカーボネート、アクリル樹脂、硬質塩化ビニル等が挙げられる。
【００４９】
ここにおいて、袋本体２２および収容領域２４の高さ方向中間部分から下方は、幅方向において、上方より開放部３２側（図１中の右方）に大きくされた拡幅部４８とされている。これにより、幅方向の重心が開放部３２側に偏倚しており、吊下フックを貫通孔４６に挿通して、医療用バッグ１０をスタンドに懸架する際、医療用バッグ１０が図１の状態から貫通孔４６を中心として右回りに傾斜して静置される。この結果、ポート部１６が鉛直方向に延びるように位置すると共に、収容領域２４におけるポート部１６の周辺部分が狭幅となっていることから、医療用バッグ１０がスタンドに懸架された際に、収容領域２４に収容される液状物がポート部１６に流れ込みやすくなっており、液状物の収容領域２４に残る量を軽減させることが出来る。
【００５０】
このような構造とされた医療用バッグ１０は、図５に示されるように、拡開操作部３８としての手指用袋状部４０に、手指５０の先端を挿入して使用される。具体的には、２枚の樹脂シート１８ａ，１８ｂのそれぞれにおけるフラップ状部２８，２８により、これらの重ね合わせ方向の両側外方に向かって拡開可能な案内口部５２が形成されている。これにより、２本の手指５０の先端を一対の手指用袋状部４０，４０に挿入して、２本の手指５０を離隔させる方向に操作すれば、案内口部５２が拡開して、重ね合わされていた一対のフラップ状部２８，２８を離隔させることが出来る。そして、更に２本の手指５０を離隔させる方向に拡開操作力を加えれば、一対のフラップ状部２８，２８から続くチャック状封止部２６が、医療用バッグ１０使用前の閉状態から開状態となり、収容領域２４を外部に連通された状態とすることが出来る。特に、本実施形態では、手指５０は開放部３２側から挿入されており、より少ない拡開操作力で案内口部５２を拡開することが出来る。
【００５１】
また、一対のフラップ状部２８，２８の閉止部３０側の端縁部分が傾斜して溶着されており、これによりこの傾斜部分が傾斜案内部３３とされている。この傾斜案内部３３は、一対のフラップ状部２８，２８の拡開時において、袋本体２２の開口部１２に向かって次第に拡開量が小さくなるようにされている。このような傾斜案内部３３を設けることにより、図示されている手と反対側の手で液状物を収容領域２４に注ぎ入れる際に、液状物を傾斜案内部３３に伝わせることが出来て、傾斜案内部３３が漏斗のような効果を発揮し得る。この結果、液状物をより高精度に収容領域２４へ注入することが出来る。
【００５２】
このように、液状物を収容領域２４へ注入した後に、チャック状封止部２６のチャックを閉状態とすることにより、収容領域２４を密封状態とすることが出来る。これにより、医療用バッグ１０上部からの液状物の漏出が防ぎ得ると共に、液状物が細菌等に汚染されるおそれを低減させることが出来る。
【００５３】
なお、図５中においては、左手で医療用バッグ１０を把持して、親指と人差し指を一対の手指用袋状部４０，４０に挿入して案内口部５２を拡開している状態が示されているが、医療用バッグ１０を拡開する状態はこの状態に限定されない。例えば、左右の手を反対にして、右手で医療用バッグ１０を把持して、左手で液状物を収容領域２４に注入させることも可能である。右利きの人であるならば、図５のような状態で液状物を収容領域２４に注入させる場合、より高精度に注入させることが出来る。あるいは、左右の手を反対にすると、より確実に医療用バッグ１０を拡開状態に維持することが出来る。従って、医療用バッグ１０は表裏対象であることが好適である。また、一対の手指用袋状部４０，４０に挿入される手指５０も親指と人差し指に限定されるものではなく、例えば親指と中指等も可能であり、一対の手指用袋状部４０，４０の形状は実際に挿入される手指５０の形状に合わせることが好適である。
【００５４】
ここにおいて、手指５０の親指と人指指を相互に開く方向に操作することにより案内口部５２が拡開されて、一対のフラップ状部２８，２８が重ね合わせ方向と反対の引き離し方向へ相互に離隔される。そして、更に拡開作用力を及ぼすと一対のフラップ状部２８，２８に続くチャック状封止部２６の設けられた開口部１２が閉状態から開状態とされる。
【００５５】
なお、チャック状封止部２６におけるチャックの噛合力はチャックの形状や大きさ等により調節可能である。チャックの噛合力が強すぎる場合には、手指５０の拡開作用力のみでチャック状封止部２６を開状態とするのが困難となるおそれがあり、またチャックの噛合力が弱すぎる場合には、液状物の収容領域２４への注入後、チャックを閉状態とした際に、収容領域２４を密封状態とする効果が十分に発揮され難くなるおそれがある。従って、医療用バッグ１０使用者に応じて、あるいは一対の手指用袋状部４０，４０の取付位置に応じてチャックの噛合力が調節され得る。チャックの噛合力が強い場合には、手指用袋状部４０，４０に手指５０を差し入れる際に、予めチャック状封止部２６を開状態としておけば良い。
【００５６】
このような形状とされた医療用バッグ１０では、以下のような効果が発揮され得る。即ち、一対のフラップ状部２８，２８の一方端に閉止部３０が設けられて、他方端に開放部３２が設けられており、開放部３２側から一対のフラップ状部２８，２８を離隔させて案内口部５２を拡開させることから、フラップ状部の両端が封止されている場合に比較して、案内口部５２を大きく拡開させることが出来る。これにより、容易に液状物を収容領域２４へ注入させることが出来て、作業者の精神的および労力的な負担が軽減され得る。
【００５７】
特に、本実施形態では、一対のフラップ状部２８，２８の閉止部３０側の端縁部分が傾斜しており、一対のフラップ状部２８，２８の拡開時において、袋本体２２の開口部１２に向かって次第に拡開量が小さくなるようにされた傾斜案内部３３が形成されている。これにより、液状物を傾斜案内部３３の傾斜面に伝わせて収容領域２４へ注入することが可能となる。従って、液状物が案内口部５２より拡開量が小さくされた開口部１２へ集約されて液状物が零れ落ちるおそれが低減され得ると共に、作業者に更なる負担を掛けることなく、より高精度な作業を行うことが出来る。
【００５８】
また、片手で本発明に従う医療用バッグ１０を把持して、この手の手指５０で案内口部５２および開口部１２を開封可能とすると共に、手指５０の離隔状態を維持することで、医療用バッグ１０の開状態を維持することが出来る。このため、もう一方の手で液状物を収容領域２４へ注入させることが出来る。このように、この作業の従事者が１人でも、十分に高精度および高効率な作業が実施可能となる。
【００５９】
さらに、本実施形態の医療用バッグ１０の袋本体２２は、２枚の樹脂シート１８ａ，１８ｂを重ね合わせるという簡単な構造とされていると共に、拡開操作部３８も切片４２を設けて曲折部４４で折り込むという簡単な構造とされている。これにより、本実施形態の医療用バッグ１０は高い生産性を示すと共に、実際の作業においても医療用バッグ１０を容易に使用することが出来る。
【００６０】
次に、図６には、本発明の第２の実施形態としての医療用バッグ５６が示されている。なお、本実施形態では、前記第１の実施形態と同様な部材および部位について、図中に前記第１の実施形態と同じ符号を付することにより、詳細な説明を省略する。
【００６１】
本実施形態の医療用バッグ５６では、前記第１の実施形態の医療用バッグ１０と異なり、一対のフラップ状部５８，５８の幅方向（図６中の左右方向）の大きさが袋本体６０の幅方向の大きさより閉止部３０側（図６中の左方）に大きくされている。また、本実施形態では、吊下フック等が挿通される貫通孔４６が、一対のフラップ状部５８，５８の少なくとも一方から上方に延び出して設けられた突出片５９に貫通形成されている。なお、図６における突出片５９と貫通孔４６は、幅方向において、収容領域２４およびチャック状封止部２６の略中央に位置して設けられている。さらに、本実施形態では、袋本体６０および収容領域２４には、拡幅部４８が設けられていない。
【００６２】
このような構造とされた本実施形態の医療用バッグ５６では、一対のフラップ状部５８，５８の閉止部３０側端縁部である傾斜案内部３３が、開口部１２の上方において、チャック状封止部２６よりも幅方向外方に向かって広がって形成されている。一対のフラップ状部５８，５８を、このように開口部１２におけるチャック状封止部２６よりも大きな開口幅をもって形成することにより、前記第１の実施形態に比べて、更に案内口部５２の拡開量を大きくすることが出来る。
【００６３】
従って、案内口部５２を通じて開口部１２から収容領域２４へ液状物を注入するための作業を一層容易とすることが出来て、作業者の精神的および労力的負担の更なる軽減が図られ得る。
【００６４】
なお、本実施形態では、吊下用の貫通孔４６が袋本体６０の略中央に設けられていることから、ポート部１６も、袋本体６０の略中央に設けても良い。
【００６５】
以上、本発明の実施形態について詳述してきたが、本発明はその具体的な記載によって限定されない。例えば、拡開操作部３８は一対のフラップ状部２８，２８（５８，５８）に形成される形状に限定されず、２枚の樹脂シート１８ａ，１８ｂ表面の、チャック状封止部２６や収容領域２４の上端に相当する位置に設けられていても良い。好ましくは、拡開操作力が一対のフラップ状部に直接及ぼされる位置に拡開操作部が設けられる。なお、拡開操作部３８の形状は、手指５０の先端を手指用袋状部４０に挿入するという形状に限定されない。
【００６６】
また、前記実施形態では、一対のフラップ状部２８，２８（５８，５８）の幅方向一方の端部が互いに分離している開放部３２とされていたが、例えば、医療用バッグ１０（５６）の使用前は一体化されていて、使用する際に、開放部に相当する部分が分離されるようになっていてもよい。この際には、例えば、開放部に相当する部分では、ミシン目状の切断容易部を設けたり固着代を小さくすること等により、開放部３２の形成部分の強度を閉止部３０の固着強度よりも小さくして、手指５０による拡開操作力を及ぼすことにより開放部に相当する部分が分離するようにすることが好適である。
【００６７】
更にまた、閉止部３０も、前記実施形態のようにチャック状封止部２６が設けられた開口部１２から外方に向かって直線的に広がる傾斜形状に限定されるものでなく、例えば段階的に傾斜角度が変化する閉止部や、曲線状に湾曲して傾斜角度が変化する閉止部等も採用可能である。
【００６８】
さらに、吊下フック等が挿通される貫通孔の形状は円形に限定されない。例えば、三角形等にすることにより、医療用バッグ１０（５６）をスタンド等に懸架した際の、医療用バッグ１０（５６）の向きを調節することが出来る。
【００６９】
更にまた、前記実施形態では、医療用バッグ１０（５６）の形状は略矩形状（図１および図６等を参照）とされていたが、この形状に限定されない。例えば、平面視において、円形状、楕円形状、オーバル（卵）形状、三角形（好適には逆三角形）、多角形等の各種形状が採用され得る。
【符号の説明】
【００７０】
１０，５６：医療用バッグ、１２：開口部、１４：外部チューブ、１６：ポート部、１８ａ，１８ｂ：樹脂シート、２２，６０：袋本体、２６：チャック状封止部、２８，５８：フラップ状部、３０：閉止部、３２：開放部、３３：傾斜案内部、３８：拡開操作部、４０：手指用袋状部、４６：貫通孔、５０：手指、５２：案内口部
【図１】
2014054406.tif 000003
【図２】
2014054406.tif 000004
【図３】
2014054406.tif 000005
【図４】
2014054406.tif 000006
【図５】
2014054406.tif 000007
【図６】
2014054406.tif 000008